(57)【要約】【課題】犬の洗浄と乾燥作業を専用の施設で行うので能率的であるし、料金を支払うだけで抜け毛の後始末等の面倒な仕事から解放される。利用後は自動的に洗浄・殺菌を行うので清潔であるし安心して利用できる。【解決手段】建屋１内に形成した作業室２には入室料金を支払うことにより入室できる。作業室２には洗浄乾燥台１１、シャワー装置２１、ドライヤー装置２２が設置してある。洗浄乾燥台１１には洗浄時の湯水の飛散を防止する飛散防止体１３、１４が昇降可能に設けてあると共に、犬を係止する係止具１５が設けてある。入室料金に対応する時間シャワーを使用できるし、利用料金を支払うことによりドライヤー装置を使用することができる。利用が終了して利用者が退室した後は、自動洗浄・殺菌装置により作業室２の洗浄・殺菌が行われる。【選択図】  図２
2004321132.tif 000002
【特許請求の範囲】
【請求項１】
出入口の扉は所定の入室料金を支払うことにより開錠し、かつ遠隔操作により施錠可能になっている作業室と、該作業室内に設置した洗浄乾燥台と、該洗浄乾燥台の近傍にシャワーホースを配置し、洗浄開始操作により前記入室料金に対応する所定の時間給湯するシャワー装置と、前記洗犬乾燥台の近傍にドライヤーホースを配置し、乾燥開始操作により利用料金に対応する所定の時間温風を噴出するドライヤー装置と、前記シャワー装置及びドライヤー装置のいずれか一方の作動終了時から所定時間が経過した後、利用終了の警報を発する警報装置と、該警報装置の警報終了後、前記扉を遠隔操作により施錠した状態で前記作業室内の洗浄と殺菌を行う自動洗浄・殺菌装置と、前記入室料金の入金により始動し、自動洗浄・殺菌装置が停止するまでの間、前記作業室内を照明する照明装置及び換気する換気装置とから構成してなる愛犬用洗浄乾燥システム。
【請求項２】
前記洗浄乾燥台は、洗浄時の湯水の飛散を防止する飛散防止体を設けてあることを特徴とする請求項１記載の愛犬用洗浄乾燥システム。
【請求項３】
前記飛散防止体は、前記洗浄乾燥台に昇降可能又は着脱可能に設けてあることを特徴とする請求項２記載の愛犬用洗浄乾燥システム。
【請求項４】
前記洗浄乾燥台の近傍に、犬を係止する係止具を設けてあることを特徴とする請求項１記載の愛犬用洗浄乾燥システム。
【請求項５】
前記シャワー装置は、利用料金の追加支払いにより更に所定の時間給湯するようにしてあることを特徴とする請求項１記載の愛犬用洗浄乾燥システム。
【請求項６】
前記ドライヤー装置は、利用料金の追加支払いにより更に所定の時間温風を噴出するようにしてあることを特徴とする請求項１記載の愛犬用洗浄乾燥システム。
【請求項７】
前記シャワー装置及びドライヤー装置のいずれか一方の作動終了時から所定時間が経過する迄に、該シャワー装置又はドライヤー装置のいずれかが再始動した時は、前記警報装置は利用終了の警報を発しないようにしてあることを特徴とする請求項１記載の愛犬用洗浄乾燥システム。
【発明の詳細な説明】
【０００１】
【発明の属する技術分野】
本発明は、愛犬を洗浄し、乾燥する作業を容易に能率よく行うことができるし、抜け毛の後始末等の面倒から飼い主を解放することができる愛犬用洗浄乾燥システムに関する。
【０００２】
【従来の技術】
飼い主が愛犬を洗浄する場合、洗浄時に湯水を使用することと、湯水が周囲に飛散することから殆どの場合自宅の風呂場を使用しているのが現状である。この場合、洗浄と乾燥時における多量の抜け毛が飼い主にとって大きな問題になっている。洗浄時の多量の抜け毛が排水口に詰まることから、そのための対策が必要であるし、風呂場の後始末が必要なことである。しかも、濡れた毛を自宅で乾燥するには多大な時間が必要であり、これも大きな悩みである。また、犬には人に伝染する病気や寄生虫があることからすれば、風呂場を使用するのは飼い主の健康面から見て好ましいことではない。
【０００３】
【発明が解決しようとする課題】
しかし、犬の洗浄及び乾燥を行うのに適した他の場所或は設備は、是迄提供されていないのが現状であるし、本件出願人が知る限りそのような設備に関する特許出願はなされていない。
【０００４】
本発明は上述した従来技術の未解決の問題点に鑑みなされたもので、専用の施設であるので愛犬の洗浄と乾燥を能率的に行うことができるし、施設は利用される毎に洗浄・殺菌を行うので後の利用者は安心して利用することができると共に、所定の料金を支払うだけで抜け毛の後始末等の面倒な仕事からも開放される愛犬用洗浄乾燥システムを提供することを目的とする。
【０００５】
【課題を解決するための手段】
上述した課題を解決するために構成された本発明の手段は、出入口の扉は所定の入室料金を支払うことにより開錠し、かつ遠隔操作により施錠可能になっている作業室と、該作業室内に設置した洗浄乾燥台と、該洗浄乾燥台の近傍にシャワーホースを配置し、洗浄開始操作により前記入室料金に対応する所定の時間給湯するシャワー装置と、前記洗犬乾燥台の近傍にドライヤーホースを配置し、乾燥開始操作により利用料金に対応する所定の時間温風を噴出するドライヤー装置と、前記シャワー装置及びドライヤー装置のいずれか一方の作動終了時から所定時間が経過した後、利用終了の警報を発する警報装置と、該警報装置の警報終了後、前記扉を遠隔操作により施錠した状態で前記作業室内の洗浄と殺菌を行う自動洗浄・殺菌装置と、前記入室料金の入金により始動し、該自動洗浄・殺菌装置が停止するまでの間、前記作業室内を照明する照明装置及び換気する換気装置とからなる。
【０００６】
そして、前記洗浄乾燥台は、洗浄時の湯水の飛散を防止する飛散防止体を設けた構成にするとよい。このように構成することにより、利用者は洗浄時に湯水に濡れる事態を防止できる。
【０００７】
また、前記飛散防止体は、前記洗浄乾燥台に昇降可能又は着脱可能に設けた構成にするとよい。このように構成することにより、飛散防止体が犬の乾燥作業時に障害になることがない。
【０００８】
また、前記洗浄乾燥台の近傍に、犬を係止する係止具を設けた構成にするとよい。このように構成することにより、洗浄や乾燥が嫌いな犬でも拘束した状態で洗浄・乾燥ができるから能率的に作業を行うことができる。
【０００９】
また、前記シャワー装置は、利用料金の追加支払いにより更に所定の時間給湯するようにするとよい。このように構成することにより、利用者は時間に追われることなく犬を十分に洗浄をすることができる。
【００１０】
更に、前記ドライヤー装置は、利用料金の追加支払いにより更に所定の時間温風を噴出するようにするとよい。このように構成することにより、利用者は時間に追われることなく犬を十分に乾燥することができる。
【００１１】
更にまた、前記シャワー装置及びドライヤー装置のいずれか一方の作動終了時から所定時間が経過する迄に、該シャワー装置又はドライヤー装置のいずれかが再始動した時は、前記警報装置は利用終了の警報を発しないようにするとよい。このように構成することにより、利用者は時間に追われることなく納得のいく洗浄・乾燥の作業を行うことができる。
【００１２】
【発明の実施の形態】
以下、本発明の実施の形態を図面に基づき詳述する。図において、１は建屋を示す。２は該建屋１内に設けた作業室で、該作業室２は耐水性のある材料を敷設した床部２Ａと、３面の壁部２Ｂ、２Ｃ、２Ｄと、天井部２Ｅ及び建屋１内を２室に区画する仕切り壁２Ｆと、１の壁部２Ｂに設けた出入口３と、該出入口３を開閉する扉４とから構成してある。そして、床部２Ａには仕切り壁２Ｆの近傍に排水口５が設けてあり、床部２Ａ全体は排水口５に向けて若干の勾配が付けてある。
【００１３】
該扉４には電気信号により遠隔制御が可能な電子錠６が設けてあり、該電子錠６は出入口３の近傍に位置して建屋１に設けた入室料金支払い器７に利用者が所定の入室料金、例えば２００円相当の貨幣を投入すると開錠する。また、利用者は内側から別個の内鍵で施錠することも可能にしてある。なお、仕切り壁２Ｆで画成した建屋１の奥は機械室８になっている。そして、上述の構成からなる作業室２には天井２Ｅに照明器具９が設けてあり、他側の壁部２Ｃには換気扇１０が設けてある。
【００１４】
１１は作業室２の中央奥に位置して仕切り壁２Ｆに近接した状態で床２Ａに設置した洗浄乾燥台を示す。１２は該洗浄乾燥台１１を構成する台部で、該台部１２は高さを約４４ｃｍに設定した前側板１２Ａ及び一対の横側板１２Ｂ、１２Ｂを略コ字状に連結し、高さ約３９ｃｍに設定した１枚の後側板１２Ｃ（但し、図示せず。）を一対の横側板１２Ｂ、１２Ｂに連結して略ロ字状に構成し、天板１２Ｄは３辺を前側板１２Ａ、横側板１２Ｂ、１２Ｂの上端から約４ｃｍ下げた位置に固定し、他辺を後側板１２Ｃの上端に固定することにより後ろ下がりに傾斜させて配設してある。このように構成することにより、天板１２Ｄの周囲にコ字状の堤部を形成すると共に、天板１２Ｄは仕切り壁２Ｆに向けて下り傾斜面になって水捌けをよくしてある。
【００１５】
また、１３、１３は洗浄時の湯水の飛散を防止するために前記前側板１２Ａに設けた飛散防止体を示す。該各飛散防止体１３は側板１２Ａの幅方向両縁に固着した一対のガイドレール１３Ａ、１３Ａと、該一対のガイドレール１３Ａ、１３Ａの下端に嵌着した高さ約４ｃｍのゴム製クッション材１３Ｂ、１３Ｂと、一対のガイドレール１３Ａ、１３Ａに昇降可能に挿装した下側昇降板１３Ｃと、該下側昇降板１３Ｃの幅方向両側に設けた一対のガイド溝１３Ｄ、１３Ｄと、該各ガイド溝１３Ｄに摺動可能に嵌合したガイドピン１３Ｅを介して昇降可能に支持された上側昇降板１３Ｆとから構成してある。
【００１６】
また、１４、１４は前記一対の横側板１２Ｂ、１２にＢ設けた飛散防止体で、該各飛散防止体１４は前記飛散防止体１３と同様の構成からなり、横側板１２Ｂの幅方向両縁に固着した一対のガイドレール１４Ａ、１４Ａと、該一対のガイドレール１４Ａ、１４Ａの下端に嵌着した高さ約４ｃｍのゴム製クッション材１４Ｂ、１４Ｂと、一対のガイドレール１４Ａ、１４Ａに昇降可能に挿装した下側昇降板１４Ｃと、該下側昇降板１４Ｃの幅方向両側に設けた一対のガイド溝１４Ｄ、１４Ｄと、該各ガイド溝１４Ｄ、１４Ｄに摺動可能に嵌合したガイドピン１４Ｅを介して昇降可能に支持された上側昇降板１４Ｆとから構成してある。
【００１７】
このように、台部１２の３面に昇降自在な飛散防止体１３、１４、１４を設け、犬が台部１２に上がる時は上下２枚の昇降板１３Ｃ、１３Ｆ、１４Ｃ、１４Ｆは降下させておくことにより犬が台部１２に上り易くし、洗浄時には犬の体型の大きさに合わせて上側昇降板１３Ｆ、１３Ｆ、１４Ｆ、１４Ｆのみを引上げた状態にしたり、上側及び下側昇降板１３Ｃ、１３Ｆ、１４Ｃ、１４Ｆの両方を引上げて使用することにより、洗浄時の作業性が損なわれることなく湯水の飛散を効果的に防止することができる。
【００１８】
１５は洗浄時に犬を台部１２に繋いでおくために台部１２の片側に位置して立設した係止具としての係止索を示す。係止索１５は、台部１２に設けられ、上部側が台部１２上方に屈曲した支柱１５Ａと、該支柱１５Ａの先端に設けた首輪１５Ｂとから構成してあり、首輪１５Ｂは犬の首に容易に取着できる緩やかな構成のものを用いるとよい。なお、係止具は、不使用の場合には横に転倒して作業の障害にならないように起伏可能に設けてもよい。
【００１９】
２１は洗浄用のシャワー装置で、該シャワー装置２１は機械室８に設置したボイラ２１Ａと、該ボイラ２１Ａに接続した配管に基端が接続され、仕切り壁２Ｆ作業室２に伸長する２本のシャワーホース２１Ｂ、２１Ｂと、仕切り壁２Ｆに設けられ、該シャワーホース２１Ｂ、２１Ｂを係脱可能に支持するフック２１Ｃ、２１Ｃと、建屋１の外に設置したボイラ２１Ａの燃料用プロパンガスを収容したボンベ２１Ｄとから構成してある。
【００２０】
また、２２は洗浄後の濡れた犬を乾かすためのドライヤー装置で、該ドライヤー装置２２は機械室８に設置した電熱式の熱風生成機２２Ａと、該熱風生成機２２Ａに基端が接続され、仕切り壁２Ｆに挿通されて個室２に伸長し、先端にノズルを有する耐熱性の蛇腹ホースからなる２本のドライヤーホース２２Ｂ、２２Ｂと、仕切り壁２Ｆに設けられ、該ドライヤーホース２２Ｂ、２２Ｂを係脱可能に支持するフック２２Ｃ、２２Ｃとから構成してある。
【００２１】
２３は前記ドライヤー装置２２及びシャワー装置２１を作動するために仕切り壁２Ｆに設けた操作盤を示す。該操作盤２３には、各シャワーホース２１Ｂに対応した貨幣投入口２４Ａ、貨幣戻し口２４Ａと、残り時間表示器２４Ｃ及び温水のシャワー操作ボタン２４Ｄとからなるシャワー操作部２４と、各ドライヤーホース２２Ｂに対応した貨幣投入口２５Ａ、貨幣戻し口２５Ｂ、残り時間表示器２５Ｃ及び温風・冷風切替スイッチ２５Ｄからなるドライヤー操作部２５が設けてある。なお、２６は操作盤２３の横に設置した利用手順説明板で、２７は壁部２Ｃに設けた利用案内表示板である。
【００２２】
２８は利用終了時間の到来を警報する警報装置で、該警報装置２８は機械室８に設置した警報機本体２８Ａと、操作盤２３に設けられ、該警報機本体２８Ａと電気的に接続された警報器２８Ｂとから構成してあり、例えば「ご利用時間が終了しました。この後室内の洗浄・殺菌を行ないます。」等の音声による警報を一定時間、例えば２分間行うものである。
【００２３】
２９は利用後の作業室２を洗浄・殺菌する自動洗浄・殺菌装置を示す。該自動洗浄・殺菌装置２９は、散水用の水を供給する水道管２９Ａと、該水道管２９Ａに設けた電磁式開閉弁２９Ｂと、後述する制御装置３０に設けられ、該電磁式開閉弁２９Ｂの作動時間を制御するタイマー３０Ａ４  と、作業室２の天井２Ｅに設置され、前記水道管２９Ａと分岐管２９Ａ１  を介して接続した複数の噴出ノズル２９Ｃ、２９Ｃ、・・・と、機械室８に設置して水道管２９Ａに接続され、内部に殺菌剤である次亜塩素酸ナトリウムを貯える貯液タンク２９Ｄと、該貯液タンク２９Ｄに接続され、次亜塩素酸ナトリウムを水道管２９Ａに供給する圧送ポンプ２９Ｅと、水道管２９Ａに接続され、該圧送ポンプ２９Ｅを始動するフロースイッチ２９Ｆとから構成してある。
【００２４】
また、機械室８には上述した電子錠６、照明装置９、換気扇１０、シャワー装置２１、ドライヤー装置２２、警報装置２８及び洗浄・殺菌装置２９の作動を制御する制御装置３０が設けてある。該制御装置３０は、メインタイマー３０Ａ１  、シャワー用タイマー３０Ａ２  、ドライヤー用タイマー３０Ａ３  及び洗浄・殺菌用タイマー３０Ａ４  と、ＲＡＭ、ＲＯＭ、ＣＰＵからなる制御部３０Ｂ等から構成してあり、本システムの制御を後述するように行う。
【００２５】
次に、上述の構成からなる本システムの作動について説明する。先ず、利用者は所定の金額の利用料金、例えば２００円分の貨幣を入室料金支払い器７に投入すると、制御部３０Ｂからの信号により扉４の電子錠６が開錠すると共に、作業室２の照明器具９が点灯し、換気扇１０が始動する。利用者は入室したら別個の内鍵で施錠することもできる。また、利用料金支払い器７は入金できない状態になると共に、「使用中」のランプが点灯する。次に、犬を洗浄乾燥台１１の台部１２に乗せ、必要に応じて犬の首に係止索１５を嵌める。また、犬の体型に合わせて飛散防止体１３、１４の下側昇降板１３Ｃ、１３Ｃ、上側昇降板１３Ｆ、１４Ｆを引上げ、洗浄時の湯水が周囲に飛散するのを防止する状態にする。
【００２６】
利用者はシャワー装置２１のシャワー操作ボタン２４Ｄを押すと制御装置３０のタイマー３０Ａ２  が始動し、入場時に支払った２００円の金額に相当する時間、例えば１０分間温水が供給される。温水の使用時間が足りない場合は、操作盤２３のシャワー用貨幣投入口２４Ａに所定の金額、例えば２００円分の貨幣を投入することにより、再度タイマー３０Ａ２  が始動して単位時間、例えば１０分間湯水が供給されて犬の洗浄を続けることができる。そして、貨幣の追加投入を行なうことにより、タイマー３０Ａ２  は再度始動して所望の時間犬の洗浄を行なうことができる。また、単位時間の料金以上の貨幣を投入した場合には余剰額分の貨幣は貨幣戻し口２４Ｂに返却される。
【００２７】
犬の洗浄が終了したら、飛散防止板１３、１４を当初の位置に下げる。次に、ドライヤー装置２２の貨幣投入口２５Ａに所定の金額、例えば２００円分の貨幣を投入し、スイッチ２５ＤをＯＮにすると、タイマー３０Ａ３  が始動して支払った２００円の金額に相当する時間、例えば１０分間温風がドライヤーホース２２Ｂを介して噴出される。乾燥時間が足りない場合は、貨幣投入口２５Ａに更に２００円を投入することにより、タイマー３０Ａ３  が再始動して単位時間、例えば１０分間温風が噴出されて犬の乾燥作業を続けることができる。このようにして、貨幣の追加投入を行なうことにより、所望の時間犬の乾燥を行なうことができる。また、投入金額が単位時間の料金より多い場合は、余剰の貨幣は貨幣戻し口２５Ｂに返却される。上述の如くして犬の洗浄と乾燥の作業が終了したら、利用者は後片付けを行なって作業室２から退出する。
【００２８】
なお、本実施の形態においては、シャワー装置２１は２本のシャワーホース２１Ｂ、２１Ｂを備えてあり、シャワー操作部２４で利用料金を支払うことにより２本のシャワーホース２１Ｂ、２１Ｂを同時に使用することが可能である。また、ドライヤー装置２２も２本のドライヤーホース２２Ｂ、２２Ｂが設けてあり、これらホース２２Ｂ、２２Ｂは利用料金を支払うことにより同時使用が可能である。
【００２９】
また、上記作動において、シャワー装置２１又はドライヤー装置２２が動作を停止すると制御装置３０のメインタイマー３０Ａ１  がカウントを開始する。３分が経過する迄にシャワー装置２１及びドライヤー装置２２のいずれかの追加使用があると、メインタイマー３０Ａ１  はカウントを停止し、シャワー装置２１及びドライヤー装置２２の使用停止からメインタイマー３０Ａ１  は再びカウントを開始する。そして、シャワー装置２１及びドライヤー装置２２のいずれもが使用されない使用停止状態が３分間継続したら、制御部３０Ｂからの信号により警報装置２８が作動して警報器２８Ｂから所定時間、例えば２分間音声メッセージ「ご利用時間が終了しました。この後室内の洗浄・殺菌を行ないます。」等の警報が発せられる。
【００３０】
警報装置２８による警報時間が経過したら、制御部３０Ｂからの信号により扉４の電子錠６を施錠する。また、利用料金支払い器７も閉塞した状態にして後の利用者が誤って入室することがない状態にする。そして、制御部３０Ｂからの信号により自動洗浄・殺菌装置２９の電磁式開閉弁２９Ｂが開弁して水道管２９Ａから水道水が各噴出ノズル２９Ｃに供給される。この水道水の流れを検知したフロースイッチ２９Ｆの信号により圧送ポンプ２９Ｅが始動して貯液タンク２９Ｄ内の次亜塩素酸ナトリウムや次亜塩素酸カルシウム等の殺菌剤が水道水に所定の濃度、約０．２％となるように混合され、洗浄・殺菌液となって作業室２に５分間噴出される。殺菌用タイマー３０Ａ４  が５分間をカウントすると制御部３０Ｂから水道停止の信号により電磁式開閉弁２９Ｂが閉弁して水道水の供給が停止し、フロースイッチ２９Ｆの信号により圧送ポンプ２９Ｅが停止する。このようにして、作業室２の自動洗浄・殺菌が終了すると、制御部３０Ｂからの信号により照明器具９が消灯し、換気扇１０が停止する。また、利用料金支払い器７は次の利用者が利用可能な状態になる。
【００３１】
なお、本実施の形態では１棟の建屋１内に１室の作業室２を設けて愛犬用洗浄乾燥システムを構成したが、１棟の大型の建屋内に複数の作業室を画成し、各作業室毎に愛犬用洗浄乾燥システムを構成するようにしてもよい。このように構成することにより、各システムの一部を共有化することが可能になるから設備費の抑制とランニングコストの低減を図ることができる。
【００３２】
また、本実施の形態では洗浄乾燥台１１の台部１２は高さ固定型に構成してあるが、台部は手動或は電動により高さ調整可能に構成し、利用者の体格や犬の体型に合わせて台部を作業し易い高さに設定できるようにしてもよい。この場合の高さ調整は、犬が台部に上がった後に行うとよい。
【００３３】
また、本実施の形態では、飛散防止体１３、１４は台部１２に対して下側昇降板１３Ｃ、１４Ｃ、及び上側昇降板１３Ｆ、１４Ｆを昇降可能に構成したが、３面を囲繞する略コ字状の防止板を台部１２に対して着脱可能に構成してもよい。また、３面を囲繞する略コ字状のカーテンをパンタグラフ機構を利用して昇降可能に設けてもよい。
【００３４】
更に、作業室２内の作業環境を良好にするために、作業室２にエアコンデショナーを設置してもよい。
【００３５】
また、本実施の形態では入室料金及び利用料金は貨幣により支払うものとして述べたが、貨幣と紙幣による支払いが可能な機器を設置してもよいことは勿論である。
【００３６】
更にまた、本実施の形態では、自動洗浄・殺菌処理を行なう前に警報装置２８により２分間の警報を発するように構成したが、これに加えて作業室２に人又は動物の有無を検知する近接センサを設置し、検知されている間警報を続ける構成にしてもよいものである。
【００３７】
【発明の効果】
本発明は以上詳述した如く構成したから、下記の諸効果を奏する。
（１）犬の飼い主は、料金を支払うだけで愛犬のシャワー洗浄と乾燥を専用の施設で行うことができるから、これらの作業を自宅で行う場合と比べて能率的であるし、抜け毛の後始末といった面倒な作業から解放される。
（２）作業室は、利用した後に自動的に洗浄・殺菌を行うから常に清潔で後の利用者も安心して利用できるし、病気の伝染を予防することができる。
（３）洗浄乾燥台は、洗浄時の湯水の飛散を防止する飛散防止体を設けた構成にしてあるから、飼い主は洗浄時に水濡れすることがなく、不愉快な思いをすることがない。
（４）飛散防止体は、洗浄乾燥台に対して昇降可能又は着脱可能に構成してあるから、その後の乾燥作業を障害なく行うことができる。
（５）洗浄乾燥台の近傍に犬を係止する係止具を設け、洗浄時に犬を拘束できるようにしたから、洗浄の嫌いな犬を洗浄する場合や、大型犬を洗浄する場合でも能率的に行うことができる。
（６）シャワー装置は、利用料金の追加支払いにより更に所定の時間給湯するようにしてあるから、毛足が長い犬を洗浄する場合や、汚れがひどい犬を洗浄する場合でも、利用者は納得のいく十分な洗浄を行うことができる。
（７）ドライヤー装置は、利用料金の追加支払いにより更に所定の時間温風を噴出するようにしてあるから、毛足の長い犬を乾燥する場合でも時間に追われることなく十分に乾燥することができる。
（８）シャワー装置及びドライヤー装置のいずれか一方の作動終了時から所定時間が経過する迄に、該シャワー装置又はドライヤー装置のいずれかが再始動した時は、警報装置は利用終了の警報を発しないようにしてあるから、利用者は時間に追われることなく施設を利用することができると共に、無用な不安を与えることがない。
（９）作業室の自動洗浄・殺菌時には、扉を施錠するから次の利用者が誤って入室する事態を防止できる。
【図面の簡単な説明】
【図１】本発明の実施の形態に係る愛犬洗浄・乾燥システムを構成する建屋の外観斜視図である。
【図２】作業室の内部構成を示す説明図である。
【図３】建屋の内部構成を示す平面図である。
【図４】洗浄・乾燥台と飛散防止体の構成を示す斜視図である。
【図５】操作盤の正面図である。
【符号の説明】
２          作業室
３          出入口
４          扉
６          電子錠
７          入室料金支払い器
９          照明器具
１０        換気扇
１１        洗浄乾燥台
１３、１４  飛散防止体
１５        係止具
２１        シャワー装置
２１Ｂ      シャワーホース
２２        ドライヤー装置
２２Ｂ      ドライヤーホース
２８        警報装置
２９        洗浄・殺菌装置
【図１】
2004321132.tif 000003
【図２】
2004321132.tif 000004
【図３】
2004321132.tif 000005
【図４】
2004321132.tif 000006
【図５】
2004321132.tif 000007